(57)【特許請求の範囲】
【請求項１】
読取信号に波形等化を施す波形等化器であって、
前記読取信号の上昇傾斜部及び下降傾斜部を判別する傾き判別手段と、
前記読取信号にフィルタリング処理を施すフィルタと、
前記傾き判別手段の判別出力に応じて前記フィルタの周波数特性を切り換える特性切換手段と、を有し、
前記上昇傾斜部の判別下における前記周波数特性は、対応する前記読取信号の上昇傾斜部におけるゼロクロス近傍のサンプル値に応じて設定され、前記下降傾斜部の判別下における前記周波数特性は、対応する前記読取信号の下降傾斜部におけるゼロクロス近傍のサンプル値に応じて設定されることを特徴とする波形等化器。
【請求項２】
読取信号に波形等化を施す波形等化器であって、
前記読取信号の上昇傾斜部及び下降傾斜部を判別する傾き判別手段と、
前記読取信号にフィルタリング処理を施すフィルタと、
前記傾き判別手段の判別出力に応じて前記フィルタの周波数特性を切り換える特性切換手段と、を有し、
前記上昇傾斜部の判別下における前記周波数特性は、対応する前記フィルタリング処理が施された読取信号の上昇傾斜部におけるゼロクロス近傍のサンプル値に応じて設定され、前記下降傾斜部の判別下における前記周波数特性は、対応する前記フィルタリング処理が施された読取信号の下降傾斜部におけるゼロクロス近傍のサンプル値に応じて設定されることを特徴とする波形等化器。
【請求項３】
前記フィルタは、前記上昇傾斜部用の周波数特性が設定される第１のフィルタと前記下降傾斜部用の周波数特性が設定される第２のフィルタとを有し、前記特性切換手段は、前記第１及び第２のフィルタのいずれかの出力信号を選択して波形等化器の出力信号とすることを特徴とする請求項１または２記載の波形等化器。
【請求項４】
前記フィルタは、ＦＩＲフィルタであり、前記特性切換手段は、前記ＦＩＲフィルタのタップ係数の値を変更させることにより前記周波数特性を切り換えることを特徴とする請求項１または２記載の波形等化器。
【請求項５】
記録媒体の読取信号を２値化して再生データを得るデータ再生装置であって、
前記読取信号をサンプリングしてサンプル値系列読取信号を生成するサンプリング手段と、
前記サンプル値系列読取信号の上昇傾斜部及び下降傾斜部を判別する傾き判別手段と、前記サンプル値系列読取信号にフィルタリング処理を施すフィルタと、
前記傾き判別手段の判別出力に応じて前記フィルタの周波数特性を切り換える特性切換手段とを含む波形等化器と、
前記波形等化器の出力信号を２値化して前記再生データを生成する２値化手段と、
を有し、
前記上昇傾斜部の判別下における前記周波数特性は、対応する前記読取信号の上昇傾斜部におけるゼロクロス近傍のサンプル値に応じて設定され、前記下降傾斜部の判別下における前記周波数特性は、対応する前記読取信号の下降傾斜部におけるゼロクロス近傍のサンプル値に応じて設定されることを特徴とするデータ再生装置。
【請求項６】
記録媒体の読取信号を２値化して再生データを得るデータ再生装置であって、
前記読取信号をサンプリングしてサンプル値系列読取信号を生成するサンプリング手段と、
前記サンプル値系列読取信号の上昇傾斜部及び下降傾斜部を判別する傾き判別手段と、前記サンプル値系列読取信号にフィルタリング処理を施すフィルタと、
前記傾き判別手段の判別出力に応じて前記フィルタの周波数特性を切り換える特性切換手段とを含む波形等化器と、
前記波形等化器の出力信号を２値化して前記再生データを生成する２値化手段と、
を有し、
前記上昇傾斜部の判別下における前記周波数特性は、対応する前記フィルタリング処理が施された読取信号の上昇傾斜部におけるゼロクロス近傍のサンプル値に応じて設定され、前記下降傾斜部の判別下における前記周波数特性は、対応する前記フィルタリング処理が施された読取信号の下降傾斜部におけるゼロクロス近傍のサンプル値に応じて設定されることを特徴とするデータ再生装置。
【発明の詳細な説明】
【０００１】
【発明の属する技術分野】
本発明は、波形等化器に関し、特に、記録媒体の読取信号に波形等化を施す波形等化器に関する。本発明はまた、このような波形等化器を用いたデータ再生装置に関する。
【０００２】
【従来の技術】
記録媒体の読取システムの１つである光ディスク記録情報再生装置においては、光ディスクに読取光を照射して得られる当該ディスクからの反射光の光電変換出力をＲＦ信号または読取信号として得、波形等化器を用いてこの読取信号の波形を修正し波形干渉を低減せしめ、その後に２値化処理を施してディジタルの読取信号を生成する技術が知られている。
【０００３】
かかる技術においては、２値化処理に際し読取信号のアシンメトリを補正することができる。
詳述すると、光ディスクの情報記録時におけるマスタリングに用いられる記録光のパワーや、これにより実際に光ディスクに形成される記録マークとしてのピットの長さにばらつきがある。概して、当該記録光パワーが適正でないと、形成される各ピットがその長さ方向の前後に標準よりも同じ量だけ少しずつ長く或いは短くなるという現象を生じる。つまり、ピットと非ピットとの対称性が維持できなくなる。この現象がアシンメトリと呼ばれるものである。
【０００４】
図１は、アシンメトリの無い記録信号を読み取って得られる読取信号を所定閾値（この例ではゼロ）をもって２値化した様子を示している。この場合、高レベル部及び低レベル部共に記録信号に対応したデューティ比５０パーセントの適正な２値化読取信号が得られる。
これに対しアシンメトリの有る記録信号を読み取る場合、図２に示されるように、適正閾値の変化した読取信号が得られるので、図１と同じ閾値で２値化すると、デューティが崩れ、高レベル部及び低レベル部が記録信号に対応しない不適正なものとなる。
【０００５】
アシンメトリは、光ディスクの量産製造工程において完全に抑えられるものではない。また、ディスク読取系における読取信号自体のアシンメトリは、適用された光ピックアップの読取レーザ光の波長によっても変動する。
ＣＤ（コンパクトディスク）方式のディスクは、アシンメトリが或る範囲内に収まるように規格化されており、その読取系においては、このＣＤ方式に準じて想定される読取信号の性質を利用し、アシンメトリを自動的に補正するようにしている。より詳しくは、ＣＤに記録されるＥＦＭ（Eight to Fourteen Modulation）信号自体の直流成分がゼロである点、ＥＦＭによるデータの論理値０或いは１の続く長さ（いわゆるラン長）が３Ｔ〜１１Ｔ（１Ｔは１チャネルビットの周期）に制限されている点などの性質を利用して、読取信号のアイパターンの中心を追従検出し、その検出した中心レベルを閾値として読取信号を２値化する手法が採られている。
【０００６】
このような手法におけるアイパターンの追従能力は、ＣＤ方式のディスクに対しては十分であるとされてきた。
しかしながら、現在実用化が進むＤＶＤ（DIGITAL VIDEO DISCまたはDIGITAL VERSATILE DISC）などの、ＣＤよりも大なる容量でかつ高密度記録をなすディスクにおいては、記録データの各ラン長に対応するピット長がＣＤにおける場合よりも相当に短く、上記手法によるアイパターン追従能力が不十分となる場合がある。
【０００７】
ＤＶＤの８／１６変調を例にとって説明すると、ピット長を短くして記録する場合は、記録パワーが最適値からずれると、読取信号中の最小ランレングスである３Ｔの信号のアイパターン中心が、４Ｔ以上の信号のアイパターン中心からずれるようになり、読取信号が劣化する。アイパターン中心は、読取信号を２値化して得られる信号のパルス幅が、記録信号のパルス幅と等しくなるような閾値に相当する。
【０００８】
ここで、記録パワーに対するアイパターンの中心の変化を図３に模式的に示すと、３Ｔの信号は、光ディスクへの信号記録系であるＬＢＲ（レーザービームレコーダ）の解像度の限界に近いので、３Ｔの信号のアイパターンの中心位置は、記録パワーに対し敏感に変化する。すなわち、図示の如く３Ｔの信号の特性は、傾きが大きい。
【０００９】
これに対し、４Ｔ以上の信号はＬＢＲの解像度に余裕があるので、４Ｔ以上の信号のアイパターンの中心の記録パワーに対する変化は緩やかである。
このため、記録パワーが最適値よりも小さい場合には、３Ｔの信号のアイパターンの中心は４Ｔ以上の信号のアイパターンの中心よりも明るい（ミラーレベル寄りになる）。すなわち図４に示されるように、過小記録パワー時には、読取信号の２値化に際し３Ｔの信号の方が４Ｔ以上の信号よりも適正閾値は高くなる。一方、記録パワーが最適値よりも大きい場合には、４Ｔ以上の信号のアイパターンの中心よりも暗くなる。すなわちこれも図４に示されるように、過大記録パワー時には、読取信号の２値化に際し３Ｔの信号の方が４Ｔ以上の信号よりも適正閾値は低くなる。
【００１０】
したがって、３Ｔの信号も４Ｔ以上の信号も同一の閾値で２値化した場合は、３Ｔの信号のアイパターンの中心のずれが即ちアシンメトリによるデューティのずれとなり、読取信号にジッタを発生させるのである。
このように、ＬＢＲの解像度不足のために、主として最短ピットを担う３Ｔの信号のアイパターンのアイ中心が記録パワーに対して敏感に変化することにより、記録パワーマージンを狭くしているのである。最短ピットを担う信号が読取信号の品質に無視できない程に大きな影響を与えるのは、ＣＤなどでは見られなかった問題である。
【００１１】
また、追記型や書き換え型の記録媒体の場合は、使用する記録媒体自体や記録装置、さらには記録環境までも、各ユーザに委ねられることになるので、記録パワーのばらつきによるアシンメトリが発生することが予想され、このようなアシンメトリに対処することは、製品上高いプレイアビリティを維持するためには極めて重要である。
【００１２】
【発明が解決しようとする課題】
本発明は、上述した点に鑑みてなされたものであり、その目的とするところは、読取信号におけるアシンメトリを確実に補正して読取信号の品質を向上させることのできる波形等化器及びこれを用いたデータ再生装置を提供することにある。
【００１３】
【課題を解決するための手段】
本発明による波形等化器は、読取信号に波形等化を施す波形等化器であって、前記読取信号の上昇傾斜部及び下降傾斜部を判別する傾き判別手段と、前記読取信号にフィルタリング処理を施すフィルタと、前記傾き判別手段の判別出力に応じて前記フィルタの周波数特性を切り換える特性切換手段と、を有し、前記上昇傾斜部の判別下における前記周波数特性は、対応する前記読取信号の上昇傾斜部におけるゼロクロス近傍のサンプル値に応じて設定され、前記下降傾斜部の判別下における前記周波数特性は、対応する前記読取信号の下降傾斜部におけるゼロクロス近傍のサンプル値に応じて設定されることを特徴としている。
また、本発明による他の波形等化器は、読取信号に波形等化を施す波形等化器であって、前記読取信号の上昇傾斜部及び下降傾斜部を判別する傾き判別手段と、前記読取信号にフィルタリング処理を施すフィルタと、前記傾き判別手段の判別出力に応じて前記フィルタの周波数特性を切り換える特性切換手段と、を有し、前記上昇傾斜部の判別下における前記周波数特性は、対応する前記フィルタリング処理が施された読取信号の上昇傾斜部におけるゼロクロス近傍のサンプル値に応じて設定され、前記下降傾斜部の判別下における前記周波数特性は、対応する前記フィルタリング処理が施された読取信号の下降傾斜部におけるゼロクロス近傍のサンプル値に応じて設定されることを特徴としている。
【００１４】
上記態様の波形等化器において、前記フィルタは、前記上昇傾斜部用の周波数特性が設定される第１のフィルタと前記下降傾斜部用の周波数特性が設定される第２のフィルタとを有し、前記特性切換手段は、前記第１及び第２のフィルタのいずれかの出力信号を選択して波形等化器の出力信号とすることができる。
また、前記フィルタは、ＦＩＲフィルタであり、前記特性切換手段は、前記ＦＩＲフィルタのタップ係数の値を変更させることにより前記周波数特性を切り換えるものとすることができる。
【００１５】
【００１６】
本発明によるデータ再生装置は、記録媒体の読取信号を２値化して再生データを得るデータ再生装置であって、前記読取信号をサンプリングしてサンプル値系列読取信号を生成するサンプリング手段と、前記サンプル値系列読取信号の上昇傾斜部及び下降傾斜部を判別する傾き判別手段と、前記サンプル値系列読取信号にフィルタリング処理を施すフィルタと、前記傾き判別手段の判別出力に応じて前記フィルタの周波数特性を切り換える特性切換手段とを含む波形等化器と、前記波形等化器の出力信号を２値化して前記再生データを生成する２値化手段と、を有し、前記上昇傾斜部の判別下における前記周波数特性は、対応する前記読取信号の上昇傾斜部におけるゼロクロス近傍のサンプル値に応じて設定され、前記下降傾斜部の判別下における前記周波数特性は、対応する前記読取信号の下降傾斜部におけるゼロクロス近傍のサンプル値に応じて設定されることを特徴としている。
また、本発明による他のデータ再生装置は、記録媒体の読取信号を２値化して再生データを得るデータ再生装置であって、前記読取信号をサンプリングしてサンプル値系列読取信号を生成するサンプリング手段と、前記サンプル値系列読取信号の上昇傾斜部及び下降傾斜部を判別する傾き判別手段と、前記サンプル値系列読取信号にフィルタリング処理を施すフィルタと、前記傾き判別手段の判別出力に応じて前記フィルタの周波数特性を切り換える特性切換手段とを含む波形等化器と、前記波形等化器の出力信号を２値化して前記再生データを生成する２値化手段と、を有し、前記上昇傾斜部の判別下における前記周波数特性は、対応する前記フィルタリング処理が施された読取信号の上昇傾斜部におけるゼロクロス近傍のサンプル値に応じて設定され、前記下降傾斜部の判別下における前記周波数特性は、対応する前記フィルタリング処理が施された読取信号の下降傾斜部におけるゼロクロス近傍のサンプル値に応じて設定されることを特徴としている。
【００１７】
【発明の実施の形態】
以下、本発明を図面を参照しつつ詳細に説明する。
図５は、本発明による波形等化器が適用されるディスク記録情報再生装置の概略構成を示している。
図５において、記録媒体としての光ディスク１は、スピンドルモータ２によって回転駆動されつつ、光学ピックアップ３により読取光が照射される。読取光は、ディスク１の記録面において、記録情報または記録マークとしての例えばピットに応じた光学的変調を受け、かかる記録情報成分を含む反射光としてピックアップ３に戻る。ピックアップ３は、反射光を受光してその受光レベルないしは受光状態に応じた電気信号をＲＦ信号または読取信号として発生する。
【００１８】
ピックアップ３からの読取信号は、ＲＦアンプ４を介してＡ／Ｄ変換器５に供給される。Ａ／Ｄ変換器５は、所定のサンプリングレート及び量子化ビット数にて入力のアナログ読取信号をディジタル化する。このディジタル化によって、サンプル値系列の読取信号（以下、適宜「読取信号」と略称することがある）が生成される。
【００１９】
Ａ／Ｄ変換器５からの読取信号は、波形等化器６に供給される。この波形等化器６は、本発明の主要な特徴の１つを担うものであり、アシンメトリの補正機能を有する。その詳細については後述する。波形等化器６の出力信号は、２値化回路７に供給され、ここで論理値１と０のデータ系列として２値化された読取信号は、再生データ信号として、図示せぬ再生データ信号処理系に供給される。
【００２０】
次に、波形等化器６につき詳述する。
先ず最初に、かかる波形等化器の基本構成及び動作原理について説明する。
図６において、この波形等化器は、Ａ／Ｄ変換器５よりサンプル値系列とされた読取信号が供給される第１のフィルタであるＰＯＳフィルタ１０及び第２のフィルタであるＮＥＧフィルタ２０と、これらフィルタの出力を選択する選択回路３０とによって構成される。
【００２１】
ＰＯＳフィルタ１０は、ＦＩＲフィルタを含み、読取信号におけるゼロクロス近傍のサンプル値信号のゼロからのずれに基づいて当該フィルタのタップ係数を適応的に制御する。ＮＥＧフィルタ２０もまた、ＦＩＲフィルタを含み、読取信号におけるゼロクロス近傍のサンプル値信号のゼロからのずれに基づいて当該フィルタのタップ係数を適応的に制御する。
【００２２】
但し、ＰＯＳフィルタ１０は、読取信号波形のレベル上昇傾斜部（以下、立ち上がりエッジと略称する）におけるゼロクロス近傍のサンプル値信号を用いて、ＮＥＧフィルタ２０は、読取信号波形のレベル下降傾斜部（以下、立ち下がりエッジと略称する）におけるゼロクロス近傍のサンプル値信号を用いてタップ係数が制御される。
【００２３】
選択回路３０は、読取信号が立ち上がりエッジを呈しているときはＰＯＳフィルタ１０の出力信号を、読取信号が立ち下がりエッジを呈しているときはＮＥＧフィルタ２０の出力信号を、後段の２値化回路（または０／１判定回路）７へ中継する如く制御される。つまり、選択回路３０は、読取信号の立ち上がりエッジ／立ち下がりエッジ識別情報に応じて選択切換がなされるのである。
【００２４】
このような構成によれば、次のような原理にてアシンメトリの補正を行うことができる。
例えば、図７に示すように、読取信号における３Ｔの信号のアイパターンの中心が標準位置よりも下側にずれている場合（白丸で示した読取信号）を考える。この場合、読取信号を当該標準位置に対応するゼロレベルを閾値として２値化すると、２値化された読取信号の立ち上がりエッジ（レベル上昇部のゼロクロス点）は記録信号の立ち上がりエッジよりも遅れる。また、２値化された読取信号の立ち下がりエッジ（レベル下降部のゼロクロス点）は、記録信号の立ち下がりエッジよりも進んでいることになる。
【００２５】
そこで、立ち上がりエッジの部分と立ち下がりエッジの部分とでフィルタの周波数特性（遅延及び／または振幅の特性）を切り替えて、黒丸で示した読取信号のように、立ち上がりエッジの信号部分の位相を進ませ、立ち下がりエッジの信号部分の位相を遅らせることにより、アシンメトリ（デューティ）のずれを補正するのである。
【００２６】
また、アイパターンの中心が上側にずれている場合は、各エッジ部に対する位相のシフト方向を逆にすることによってアシンメトリの補正を行うことができる。
このように、読取信号の立ち上がりエッジ（ＰＯＳエッジ）と立ち下がりエッジ（ＮＥＧエッジ）とでは位相シフトすべき方向が異なるジッタ成分を有すると解することができるので、各エッジに対応して当該ジッタ成分を除去するべく、ＰＯＳフィルタ１０及びＮＥＧフィルタ２０の特性を設定しかつこれらをエッジに対応して切り換えて適正なアシンメトリ補正のための波形等化を施すのである。
【００２７】
なお、図７に示されているようなアシンメトリによる適正閾値の変化幅は、ほぼ、立ち上がり及び立ち下がり両エッジにおけるゼロクロス近傍のサンプル値Ｐ0p及びＰ0nを位相シフトさせるべき量に相当する。したがって、かかるサンプル値Ｐ0p及びＰ0nを検出し、その検出値に応じて各フィルタの特性を設定することにより、適正なアシンメトリ補正が達成される。
【００２８】
次に、具体的な波形等化器の構成につき説明する。
図８は、第１の実施例による波形等化器の構成を示しており、Ａ／Ｄ変換器５によってサンプル値系列とされた読取信号は、ＦＩＲフィルタ１００に供給される。
ＦＩＲフィルタ１００は、図９に示されるように構成される。
【００２９】
すなわち、サンプル値系列すなわちサンプリング周期毎の所定量子化ビット数のディジタル信号とされた読取信号は、縦続接続された５段の単位遅延素子群Ｄ1 〜Ｄ4 からなる系に供給される。単位遅延素子群Ｄ1 〜Ｄ4 は、入力信号のサンプリング周期に等しい時間遅延を与えるものであり、１つの単位遅延素子群の出力は、１サンプリング時間前の入力になる。各タップ出力すなわち入力信号及び各単位遅延素子群の出力信号は、乗算器Ｍ0，Ｍ1，Ｍ3，Ｍ4にそれぞれ一方の入力として個別に供給される。
【００３０】
乗算器Ｍ0，Ｍ1，Ｍ3，Ｍ4の他方の入力には、それぞれタップ係数ｋi：｛ｋ2，ｋ1，ｋ-1，ｋ-2｝の値が供給される。乗算器Ｍ0，Ｍ1，Ｍ3，Ｍ4による乗算結果は、加算器Ａによって加算され、その加算結果がＦＩＲフィルタ１００の出力信号すなわち波形等化後の読取信号として導出される。
タップ係数ｋiは、図８に示されるような、ＰＯＳゼロクロス検出器１Ａ１及びＰＯＳエッジ用係数制御回路１Ａ２による第１のフィルタ制御系１Ａによって制御されたＰＯＳ用タップ係数ｋpと、ＮＥＧゼロクロス検出器１Ｂ１及びＮＥＧエッジ用係数制御回路１Ｂ２による第２のフィルタ制御系１Ｂによって制御されたＮＥＧ用タップ係数ｋnとのうち、いずれか一方を選択回路３００により選択されたものである。
【００３１】
ＰＯＳ用タップ係数ｋpは、ＰＯＳゼロクロス検出器１Ａ１により検出されたＰＯＳエッジ部におけるゼロクロスに最も近いサンプル値と各対応するタップ出力との相関に基づいて、ＰＯＳエッジ用係数制御回路１Ａ２により当該ゼロクロスに最も近いサンプル値がゼロに収束するような値に設定される。
また、ＮＥＧ用タップ係数ｋnは、ＮＥＧゼロクロス検出器１Ｂ１により検出されたＮＥＧエッジ部におけるゼロクロスに最も近いサンプル値と各対応するタップ出力との相関に基づいて、ＮＥＧエッジ用係数制御回路１Ｂ２により当該ゼロクロスに最も近いサンプル値がゼロに収束するような値に設定される。
【００３２】
係数の算出手法には、特開平９−３２１６７１号公報を参考にすることができる。
選択回路３００の切り換え動作は、傾き判別回路４００によって行われる。すなわち、この傾き判別回路４００は、読取信号が立ち上がりエッジを呈しているか、或いは立ち下がりエッジを呈しているかを検出し、これらに対応した制御信号を発生して、選択回路３００にどちらのフィルタ制御系を選択すべきかを指示するのである。
【００３３】
したがって、読取信号が立ち上がりエッジを呈していれば、選択回路３００が第１のフィルタ制御系１Ａを選択しＰＯＳエッジ用係数制御回路１Ａ２からの係数ｋpの値が係数ｋiとしてＦＩＲフィルタ１００に送られる一方、読取信号が立ち下がりエッジを呈していれば、選択回路３００が第２のフィルタ制御系１Ｂを選択しＮＥＧエッジ用係数制御回路１Ｂ２からの係数ｋnの値が係数ｋiとしてＦＩＲフィルタ１００に送られるのである。
【００３４】
かくしてＦＩＲフィルタ１００は、先の図７において説明したような、立ち上がりエッジ部と立ち下がりエッジ部とに対応しかつ適正閾値変動量及び方向に対応した位相シフトをなすことができ、波形等化器出力としてアシンメトリの補正された読取信号を発生することができる。
傾き判別回路４００は、図１０に示されるような具体的構成とすることができる。
【００３５】
図１０において、傾き判別回路４００は、サンプル値系列読取信号を入力とする単位遅延素子４０１と、入力のサンプル値系列読取信号のサンプル値から単位遅延素子４０１の遅延出力のサンプル値を減ずる減算器４０２と、減算器４０２の出力値と基準値ゼロとを比較する比較器４０３とによって構成される。
この傾き判別回路４００の実際の動作は、図１１のようなタイムチャートで表すことができる。
【００３６】
すなわち、減算器４０２は、前回の読取信号サンプル値から今回の読取信号サンプル値を引いた値を出力するものであり、ＰＯＳエッジ部において得られる減算出力は、正の値を持つものとなる反面、ＮＥＧエッジ部において得られる減算出力は、負の値を持つものとなる。故に、比較器４０３においては、かかる減算出力の値とゼロとが比較されることによりその正負の極性を認識することができ、正の値を認識した場合に論理値１、負の値を認識した場合は論理値０となる傾き判別信号が発せられる。そして図示のように、この傾き判別信号が示す論理値に対応してフィルタ係数が切り替えられるのである。
【００３７】
なお、傾き判別回路をアナログ回路で実現する場合は、図１２のように構成することができる。
読取信号は、微分回路４１１によってその傾きに応じた波形の信号に変換されるので、比較器４１２は、この波形変換された信号をゼロレベルをしきい値として２値化することにより、図１０の構成によって得られるものと等価な傾き判別信号を発生することができる。
【００３８】
図１３は、第２実施例による波形等化器の構成を示しており、図８に示される構成と同等部分には同一符号が付されている。
図８においては第１及び第２のフィルタ制御系１Ａ，１Ｂの入力をＦＩＲフィルタ１００の出力より得る構成としているが、図１３に示されるように、入力信号を第１及び第２のフィルタ制御系１Ａ，１Ｂの入力とする構成を採用することもできる。
【００３９】
このような構成としても、図８に示される波形等化器と同様の作用効果を奏することができる。
図１４は、第３実施例による波形等化器の構成を示しており、ここでも図８に示される構成と同等部分には同一符号が付されている。
図１４においては、第１及び第２のフィルタ制御系１Ａ，１Ｂの入力をＦＩＲフィルタ１００の出力より得ているとともに、単一のＦＩＲフィルタ１００に代えてＰＯＳエッジ用とＮＥＧエッジ用との２つのＦＩＲフィルタ１０１，１０２を備え、各対応するフィルタ制御系の出力によって個々にタップ係数が制御されるようにし、さらに選択回路３００は、ＦＩＲフィルタ１０１，１０２のいずれかの出力を選択するようにしている。
【００４０】
このような構成としても、図８に示される波形等化器と同様の作用効果を奏することができる。
なお、これまでは、主としてディジタル形式の波形等化器につき説明したが、本発明は、アナログ形式の波形等化器にも適用可能である。
また、本発明の課題を端的に表すために３Ｔ信号と４Ｔ以上の信号とを対比させた説明をしたが、本発明は、３Ｔ信号と４Ｔ以上の信号とに拘わらず全てのラン長の信号に対して適用されるものである。
【００４１】
さらに、適用される記録媒体も、必ずしもＤＶＤやＣＤに限定されることはない。
この他にも、上記各実施例においては種々の手段を限定的に説明したが、当業者の設計可能な範囲にて適宜改変することも可能である。
【００４２】
【発明の効果】
以上詳述したように、本発明によれば、読取信号におけるアシンメトリを確実に補正して読取信号の品質を向上させることのできる波形等化器及びこれを用いたデータ再生装置を提供することができる。
【図面の簡単な説明】
【図１】アシンメトリの無い記録信号を読み取る態様を示すタイムチャートである。
【図２】アシンメトリの有る記録信号を読み取る態様を示すタイムチャートである。
【図３】ディスクへの記録パワーと読取信号のアイパターン中心位置との関係を示すグラフである。
【図４】過小記録パワー及び過大記録パワーによる記録信号を読み取った場合の３Ｔの信号と４Ｔ以上の信号との相違を示す波形図である。
【図５】本発明による一実施例の波形等化器が適用されたデータ再生装置の概略ブロック図である。
【図６】本発明による一実施例の波形等化器の基本的構成を示すブロック図である。
【図７】図６の波形等化器によるアシンメトリ補正態様を示す波形図である。
【図８】図６の構成に準じて構成された第１実施例による波形等化器の概略構成を示すブロック図である。
【図９】図８の波形等化器におけるＦＩＲフィルタの構成を示すブロック図である。
【図１０】図８の波形等化器における傾き判別回路の構成例を示すブロック図である。
【図１１】図１０の傾き判別回路の動作を説明するためのタイムチャートである。
【図１２】図８の波形等化器における傾き判別回路の改変例を示すブロック図である。
【図１３】図６の構成に準じて構成された第２実施例による波形等化器の概略構成を示すブロック図である。
【図１４】図６の構成に準じて構成された第３実施例による波形等化器の概略構成を示すブロック図である。
【符号の説明】
１  ディスク
２  スピンドルモータ
３  光学ピックアップ
４  ＲＦアンプ
５  Ａ／Ｄ変換器
６  波形等化器
７  ２値化回路
１０  ＰＯＳイコライザ
２０  ＮＥＧイコライザ
３０  選択回路
１００  ＦＩＲフィルタ
１Ａ  第１のフィルタ制御系
１Ａ１  ＰＯＳゼロクロス検出回路
１Ａ２  ＰＯＳエッジ用係数制御回路
１Ｂ  第２のフィルタ制御系
１Ｂ１  ＮＥＧゼロクロス検出回路
１Ｂ２  ＮＥＧエッジ用係数制御回路
４００  傾き判別回路
３００  選択回路
Ｄ1〜Ｄ4  単位遅延素子群
Ｍ0，Ｍ1，Ｍ3，Ｍ4  係数乗算器
Ａ  加算器
４０１  単位遅延素子
４０２  減算器
４０３  比較器
４１１  微分回路
４１２  比較器
１０１  ＰＯＳエッジ用ＦＩＲフィルタ
１０２  ＮＥＧエッジ用ＦＩＲフィルタ
【図１】
0003788684.tif 000002
【図２】
0003788684.tif 000003
【図３】
0003788684.tif 000004
【図４】
0003788684.tif 000005
【図５】
0003788684.tif 000006
【図６】
0003788684.tif 000007
【図７】
0003788684.tif 000008
【図８】
0003788684.tif 000009
【図９】
0003788684.tif 000010
【図１０】
0003788684.tif 000011
【図１１】
0003788684.tif 000012
【図１２】
0003788684.tif 000013
【図１３】
0003788684.tif 000014
【図１４】
0003788684.tif 000015